(57)【要約】【課題】暖房器本体の発熱面を複数に分割構成し、発熱線を２層若しくは平行に２本設け、夫々の発熱線へ流れる電流を制御して、発生する磁界を互いに打ち消すようにして電磁波による悪影響を防止することができる面状電気暖房器を提供する。【解決手段】絶縁体を介して隣接して配置された第１発熱線９と第２発熱線１１よりなる発熱体を暖房器本体５に配設し、商用電源により発熱体の第１発熱線９と第２発熱線１１に通電して暖房を行う面状電気暖房器において、暖房器本体の発熱面を複数に分割構成し、第１発熱線と第２発熱線が商用電源に対して直列に接続されると共に、暖房器本体内の表生地４と裏生地１との間に、第１発熱線と第２発熱線の接続部を収納する箱体１５を設け、第１発熱線と第２発熱線を互いに電流が逆方向に流れるように、箱体内の接続点を折り返し点として接続する。【選択図】  図１
2004296150.tif 000002
【特許請求の範囲】
【請求項１】
絶縁体を介して隣接して配置された第１発熱線と第２発熱線よりなる発熱体を暖房器本体に配設し、商用電源により前記発熱体の第１発熱線と第２発熱線に通電して暖房を行う面状電気暖房器において、
前記暖房器本体の発熱面を複数に分割構成し、前記発熱面に前記第１発熱線と前記第２発熱線が前記商用電源に対してそれぞれ直列に接続されると共に、前記暖房器本体内の表生地と裏生地との間に、前記第１発熱線と前記第２発熱線のそれぞれの接続部を収納する箱体を分散して設け、前記第１発熱線と前記第２発熱線を互いに電流が逆方向に流れるように、前記箱体内のそれぞれの接続点を折り返し点として接続してなることを特徴とする面状電気暖房器。
【請求項２】
前記発熱体は前記第１発熱線と前記第２発熱線とを絶縁体を介して同心状に巻回した２層構造であることを特徴とする請求項１記載の面状電器暖房器。
【請求項３】
前記発熱体は前記第１発熱線と前記第２発熱線とを絶縁体を介して平行に配置した構造であることを特徴とする請求項１に記載の面状電気暖房器。
【請求項４】
前記発熱体は芯材に前記第１発熱線を巻回し、その外周に絶縁体を介して前記第２発熱線を同一方向に巻回した構造とし、この前記第２発熱線を前記第１発熱線に重ねるように巻回したことを特徴とする請求項２に記載の面状電気暖房器。
【請求項５】
前記発熱体は芯材に前記第１発熱線を巻回し、その外周に絶縁体を介して前記第２発熱線を同一方向に巻回した構造とし、さらに、前記第２発熱線の外周に絶縁層を介して、温度上昇により抵抗値が変化する短絡検知線を巻回し、その一端を前記箱体内でリード線と接続し、他端を制御部が収納されたコントローラ内に導引してなることを特徴とする請求項１に記載の面状電器暖房器。
【請求項６】
前記箱体内に、前記発熱体と前記リード線が交差しないよう仕切壁を設けてなることを特徴とする請求項１に記載の面状電器暖房器。
【請求項７】
前記箱体内に、前記発熱体および前記リード線の抜けを防止するストッパを設けてなることを特徴とする請求項１に記載の面状電器暖房器。
【請求項８】
前記箱体内に、前記発熱体および前記リード線の接続先端部の移動を規制する挟持部を設けてなることを特徴とする請求項１に記載の面状電器暖房器。
【請求項９】
前記箱体内に、絶縁性の樹脂を充填してなることを特徴とする請求項１または５乃至８のいずれかに記載の面状電器暖房器。
【請求項１０】
前記箱体を前記暖房器本体の角部に設けてなることを特徴とする請求項１に記載の面状電器暖房器。
【発明の詳細な説明】
【０００１】
【産発明の属する技術分野】
本発明は電気カーペット、電気毛布、パネルヒータ等の面状電気暖房器に係わり、詳しくは、電磁波の発生を抑え、暖房器本体の発熱面を容易に、複数に分割構成することができる発熱体の配設構造に関するものである。
【０００２】
【従来の技術】
従来の例えば電気カーペットような面状電気暖房器は、発熱線に流れる電流により磁界が発生していた。この流れる電流が直流の場合は一定の磁界が発生し、交流の場合はその周波数に応じて変化する磁界が発生していた。また、これらとは別に不要の高周波（電磁波ノイズ）等によっても磁界が発生していた。このようにして発生した磁界のうち周波数の高いものは、電磁ノイズとして他の電気機器に悪影響を及ぼしていた。また、低い周波数のものにおいても、最近では一部人体に悪影響を及ぼす虞れがあるといわれており、人体を暖房する電気暖房器においては非常に問題であった。
【０００３】
そこで、この対策として例えば以下に示すものが知られている（特許文献１参照）。絶縁体を介して隣接して配置された第１発熱線と第２発熱線よりなる発熱体を暖房器本体に配設し、前記発熱体の第１発熱線と第２発熱線に通電して暖房を行う電気暖房器において、暖房状態においては、前記第１発熱線に通電により発生する磁界と、前記第２発熱線に通電により発生する磁界とが互いに打ち消す方向にのみ通電されるように、前記第１発熱線と第２発熱線を、コントローラに設けた接続点を折り返し点として接続した。また、前記発熱体は第１発熱線と第２発熱線とを絶縁体を介して同心状に巻回した２層構造、又は第１発熱線と第２発熱線とを絶縁体を介して平行に配置した構造としてある。
【０００４】
しかしながら、上記従来の構造の場合、第１発熱線と第２発熱線の接続部（折り返し点）がコントローラ内にあるため、配線は本体内を周回して戻ってくる構造となる。そのため発熱面の分割構成に制限が生じ、例えば電気カーペットなどでは、できるだけ暖房面積を分割して必要な部分のみ暖房することにより、省エネルギーを可能にする機能が求められている。
【０００５】
【特許文献１】
特許第３２２９６１８号公報（請求項１、第１〜４図）
【０００６】
【発明が解決しようとする課題】
本発明は上記問題点に鑑みなされたもので、暖房器本体の発熱面を複数に分割構成し、発熱面に第１発熱線と第２発熱線を夫々直列に接続し、表生地と裏生地との間に、夫々接続部を収納する箱体を分散して設け、電気カーペットなどできるだけ暖房面積を分割して必要な部分のみ暖房することにより、省エネルギーを可能にすることができる面状電気暖房器を提供することを目的としている。
【０００７】
【課題を解決するための手段】
本発明は、上記の課題を解決するために、絶縁体を介して隣接して配置された第１発熱線と第２発熱線よりなる発熱体を暖房器本体に配設し、商用電源により前記発熱体の第１発熱線と第２発熱線に通電して暖房を行う面状電気暖房器において、
前記暖房器本体の発熱面を複数に分割構成し、前記発熱面に前記第１発熱線と前記第２発熱線が前記商用電源に対してそれぞれ直列に接続されると共に、前記暖房器本体内の表生地と裏生地との間に、前記第１発熱線と前記第２発熱線のそれぞれの接続部を収納する箱体を分散して設け、前記第１発熱線と前記第２発熱線を互いに電流が逆方向に流れるように、前記箱体内のそれぞれの接続点を折り返し点として接続してなる構成となっている。
【０００８】
また、前記発熱体は前記第１発熱線と前記第２発熱線とを絶縁体を介して同心状に巻回した２層構造である構成となっている。
【０００９】
また、前記発熱体は前記第１発熱線と前記第２発熱線とを絶縁体を介して平行に配置した構造である構成となっている。
【００１０】
また、前記発熱体は芯材に前記第１発熱線を巻回し、その外周に絶縁体を介して前記第２発熱線を同一方向に巻回した構造とし、この前記第２発熱線を前記第１発熱線に重ねるように巻回した構成となっている。
【００１１】
また、前記発熱体は芯材に前記第１発熱線を巻回し、その外周に絶縁体を介して前記第２発熱線を同一方向に巻回した構造とし、さらに、前記第２発熱線の外周に絶縁層を介して、温度上昇により抵抗値が変化する短絡検知線を巻回し、その一端を前記箱体内でリード線と接続し、他端を制御部が収納されたコントローラ内に導引してなる構成となっている。
【００１２】
また、前記箱体内に、前記発熱体と前記リード線が交差しないよう仕切壁を設けてなる構成となっている。
【００１３】
また、前記箱体内に、前記発熱体および前記リード線の抜けを防止するストッパを設けてなる構成となっている。
【００１４】
また、前記箱体内に、前記発熱体および前記リード線の接続先端部の移動を規制する挟持部を設けてなる構成となっている。
【００１５】
また、前記箱体内に、絶縁性の樹脂を充填してなる構成となっている。
【００１６】
また、前記箱体を前記暖房器本体の角部に設けてなる構成となっている。
【００１７】
【発明の実施の形態】
本発明の面状電気暖房器の一実施例を電気カーペットにより図面に基づいて説明する。図１は本発明による電気カーペットの外観概略図で、図２は本発明の発熱体の拡大構造図で、図３は本発明による要部回路図である。
図１〜３において、断熱性の良い素材（例えばポリエステルのフェルト等）からなる裏生地１上に、通電により発熱する発熱体２とカーペットの温度（発熱体２の温度）を検知する感熱体３とを蛇行状に配設し、この発熱体２及び感熱体３の上からタフト生地等からなる表生地４を接着固定し、この全周縁をオーバーロック縫製してカーペット本体５を形成している。このカーペット本体５の周縁部に、前記感熱体３の検知温度によって前記発熱体２への通電量を制御する制御回路や安全保護装置等を有したコントローラ６を設け、同コントローラ６に商用電源７ａへの給電用のプラグ７が接続されている。
【００１８】
前記発熱体２は、ポリエステル等からなる芯材８に銅合金でなる第１発熱線９を螺旋状に巻回し、前記第１発熱線９をポリイミド等の耐熱絶縁体１０で被覆し、前記耐熱絶縁体１０に第１発熱線９と同様の第２発熱線１１を螺旋状に巻回し、前記第２発熱線１１を異常な温度上昇による過熱が生じた場合に融解する融解層１２で被覆し、前記融解層１２に、同融解層１２の融解により前記第２発熱線１１と短絡して安全装置を動作させる短絡検知線１３を螺旋状に巻回し、前記短絡検知線１３を耐熱塩ビ等からなる外被絶縁層１４で被覆して形成している。
【００１９】
前記第１発熱線９と前記第２発熱線１１が前記商用電源７ａに対して直列に接続されると共に、前記暖房器本体５内の表生地４と裏生地１との間に、前記第１発熱線９と前記第２発熱線１１の接続部を収納する箱体１５を設け、前記第１発熱線９と前記第２発熱線１１を互いに電流が逆方向に流れるように、前記箱体１５内の接続点１６を折り返し点として接続してなる構成となっている。
【００２０】
また、図４に示すように、前記発熱体２は前記第１発熱線９と前記第２発熱線１１とを絶縁体１０を介して平行に配置した構造としてもよい。
【００２１】
また、前記発熱体２は、前記第２発熱線１１の外周に絶縁層１２を介して、温度上昇により抵抗値が変化する短絡検知線１３を巻回し、その一端を前記箱体１５内でリード線１７と接続し、他端を制御部６ａが収納されたコントローラ６内に導引してなる構成となっている。
前記リード線１７は前記箱体１５から前記暖房器本体５内を通り、制御部６ａに帰還するが、前記短絡検知線１３は微小電圧、微小電流の回路であり電磁波の発生は極めて少なく、一般のリード線１７は前記発熱体２の線材よりも安価である。
【００２２】
また、図５および図６に示すように、前記箱体１５内に、前記発熱体２と前記リード線１７が交差しないよう仕切壁１５ａを設けると共に、前記発熱体２および前記リード線１７の抜けを防止するストッパ１５ｂを設けてなる構成となっている。
【００２３】
また、前記箱体１５内に、前記発熱体２および前記リード線１７の接続先端部の移動を規制する挟持部１５ｃを設け、前記箱体１５内に、絶縁性の樹脂を充填し、前記箱体１５を前記暖房器本体５の角部に設けてなる構成となっている。
【００２４】
さらに、前記暖房器本体５の発熱面積を複数に分割し、全体もしくは必要な部分のみ暖房可能にしてなる構成となっている。
【００２５】
以上に説明したように、前記第１発熱線９と前記第２発熱線１１が前記商用電源７ａに対して直列に接続されると共に、前記暖房器本体５内の表生地４と裏生地１との間に、前記第１発熱線９と前記第２発熱線１１の接続部を収納する箱体１５を設け、前記第１発熱線９と前記第２発熱線１１を互いに電流が逆方向に流れるように、前記箱体１５内の接続点１６を折り返し点として接続してなる構成とすることにより、電磁波の発生を防止することができる面状電気暖房器となる。
【００２６】
【発明の効果】
以上説明した本発明によれば、第１発熱線と第２発熱線が商用電源に対して直列に接続されると共に、暖房器本体内の表生地と裏生地との間に、第１発熱線と第２発熱線の接続部を収納する箱体を設け、第１発熱線と第２発熱線を互いに電流が逆方向に流れるように、箱体内の接続点を折り返し点として接続してなる構成とすることにより、電磁波の発生を防止することができる面状電気暖房器となる。
【図面の簡単な説明】
【図１】本発明における面状電気暖房器（電気カーペット）の外観概略図である。
【図２】本発明における発熱体の要部拡大図である。
【図３】本発明における面状電気暖房器の電気回路図である。
【図４】本発明における発熱体の他の実施例を示す要部拡大図である。
【図５】本発明における箱体の斜視図である。
【図６】本発明における箱体内の配線図である。
【符号の説明】
１  裏生地
２    発熱体
３    感熱体
４  表生地
５    電気暖房器本体
６    コントローラ
６ａ  制御回路
７  プラグ
８    芯材
９    第１発熱線
１０    耐熱絶縁体
１１    第２発熱線
１２    融解層
１３    短絡検知線
１４    外被絶縁層
【図１】
2004296150.tif 000003
【図２】
2004296150.tif 000004
【図３】
2004296150.tif 000005
【図４】
2004296150.tif 000006
【図５】
2004296150.tif 000007
【図６】
2004296150.tif 000008